(57)【要約】      （修正有）【課題】  流路を同時に開閉する複数の電磁弁燃焼胴(21)(22)を具備する弁装置に於いて、電磁コイルの巻き線が断線し難い弁装置を提供すること。【解決手段】  前記電磁弁燃焼胴(21)(22)の夫々を作動させる各電磁コイル(37a)(38a)の直列回路(41)の両端に電源電圧を印加する。直列接続された電磁コイルが断線又はショートしている場合は、電磁コイルに掛かる電圧又は電流が変化し、不正常な電圧又は電流を検知し異常を出力する。【選択図】  図１
2006144943.tif 000002
【特許請求の範囲】
【請求項１】
流路を同時に開閉する複数の電磁弁を具備する弁装置に於いて、
前記電磁弁の夫々を作動させる各電磁コイルの直列回路の両端に電源電圧を印加する、弁装置。
【請求項２】
請求項１に記載の弁装置に於いて、
前記直列回路に含まれる電磁コイルのうち、一つの電磁コイルの両端電圧を検知する電圧検知手段を設け、
前記電圧検知手段の検知電圧が不正常な場合に異常信号を出力する判定手段を具備する、弁装置。
【請求項３】
請求項１に記載の弁装置に於いて、
前記直列回路の電流を検知する電流検知手段を設け、
前記電流検知手段の検知電流が不正常な場合に異常信号を出力する判定手段を具備する、弁装置。
【請求項４】
請求項２又は請求項３に記載の弁装置に於いて、
前記直列回路に印加する電源は交流電源である、弁装置。
【発明の詳細な説明】
【技術分野】
【０００１】
本発明は、ガスや水等が流れる流路に設けられる弁装置、特に、同時に開閉する複数の電磁弁を備えた弁装置に関するものである。
【背景技術】
【０００２】
暖房器や給湯器等のガス器具では、ガス漏れを高い精度で防止するため、ガスバーナへのガス回路に２つの電磁開閉弁を直列に挿入してガス回路を二重遮断し得るように構成するのが一般的である。
前記電磁開閉弁等を開閉する電磁コイルは、電気回路に於いて互いに並列接続されていると共に、この並列回路に電源供給される構成になっている。そして、各電磁コイルに対して各別に設けられた制御スイッチが同期してＯＮ・ＯＦＦされると、２つの電磁開閉弁が同時に開閉する。
このものでは、ガスバーナへのガス回路が２つの電磁開閉弁で二重に遮断されるから、前述のように、ガス漏れを高い精度で防止することができる。
【特許文献１】特開平９−２０３５６０号（図１）
【特許文献２】特開平８−２７８０２３号公報（図２）
【発明の開示】
【発明が解決しようとする課題】
【０００３】
しかしながら、上記従来のものでは、２つの電磁開閉弁の各電磁コイルが電源に対して並列接続されているから、電磁コイル用の電源電圧が高い場合には、抵抗を大きくして必要以上の電流が流れるのを防止するため、電磁コイルの巻き線を細くする必要があり、断線が生じ易いという問題があった。特に、商用電源に小型電磁弁用の電磁コイルを直接接続する場合には一層断線し易い。
本発明は、係る点に鑑みて成されたもので、
『流路を同時に開閉する複数の電磁弁を具備する弁装置』に於いて、電磁コイルの巻き線が断線し難い弁装置を提供することを課題とする。
【課題を解決するための手段】
【０００４】
［請求項１に係る発明］
上記課題を解決するための請求項１に係る発明の技術的手段は、
『前記電磁弁の夫々を作動させる各電磁コイルの直列回路の両端に電源電圧を印加する』ことである。
上記技術的手段によれば、各電磁コイルは直列接続されているから、電磁コイルの直列回路の両端に印加される電源電圧は、各電磁コイルで分圧される。これにより、一つの電磁コイルに加わる電圧は、これら電磁コイルを並列接続した従来のものに比べて低くなる。従って、前記並列接続時と同じ大きさの電流を各電磁コイルに流す場合（並列接続時と同一の弁駆動力を生じさせる場合）、前記並列接続に比べて、各電磁コイルの抵抗を小さくすることができるから、コイル巻き線を太くすることができ、これにより、該巻き線が断線し難くなる。
【０００５】
［請求項２に係る発明］
請求項１に係る発明に於いて、
『前記直列回路に含まれる電磁コイルのうち、一つの電磁コイルの両端電圧を検知する電圧検知手段を設け、
前記電圧検知手段の検知電圧が不正常な場合に異常信号を出力する判定手段を具備する』ものとすることができる。
このものでは、直列接続された何れかの電磁コイルが断線又はショートしている場合は、他の全ての電磁コイルの両端に掛かる電圧が変化する。従って、この場合は、電圧検知手段が不正常な電圧を検知するから、判定手段から異常信号が出力される。よって、請求項２に係る発明では、電磁コイルの夫々の両端電圧を各別に監視する電圧検知手段を設けなくても、電磁コイルの異常検知が可能になる。即ち、単一の電圧検知手段を設けるだけで、何れかの電磁コイルに異常があることを検知することができる。
【０００６】
［請求項３に係る発明］
請求項１に係る発明に於いて、
『前記直列回路の電流を検知する電流検知手段を設け、
前記電流検知手段の検知電流が不正常な場合に異常信号を出力する判定手段を具備する』ものでは、直列接続された何れかの電磁コイルが断線又はショートすると、前記直列回路に流れる電流が変化するから、このときの電流検知手段の検知電流を判断して判定手段が異常信号を出力する。
従って、請求項２に係る発明と同様、単一の電圧検知手段を設けるだけで、何れかの電磁コイルに異常があることを検知することができる。
【０００７】
［請求項４に係る発明］
請求項２又は３に係る発明に於いて、
『前記直列回路に印加する電源は交流電源である』ものでは、電磁コイルがショートした際には、該電磁コイルの抵抗減少に加えて誘導リアクタンスも減少するから、請求項２の電圧検知手段の検知電圧や、請求項３の電流検知手段の検知電流が顕著に変化する。よって、電磁コイルの異常検知の精度向上が図れる。
【発明の効果】
【０００８】
本発明は次の特有の効果を有する。
各電磁弁の電磁コイルを並列接続する既述従来の弁装置に比べ、一つの電磁コイルに加わる電圧が小さくなるから、該電磁コイルの抵抗を小さくすることができ、これにより、各電磁弁の電磁コイルの巻き線を太くすることができて、該巻き線が断線し難くなる。
請求項２，３に係る発明によれば、単一の電圧検知手段を設けるだけで、何れかの電磁コイルに異常があることを検知することができる。
請求項４に係る発明では、前述のように、電磁コイルの異常検知の精度向上が図れる。
【発明を実施するための最良の形態】
【０００９】
以下に、本発明を実施するための最良の形態について添付図面を参照しながら説明する。
図１は、本発明の実施の形態に係る温風暖房器のシステム構成図であり、図２は前記温風暖房器を背面側から見た斜視図である。
図２に示すように、本体ケース(1)の上面には運転スイッチ(10)が設けられていると共に、背面に形成された吸気口(11)と燃焼用吸気口(33a)には、エアフィルタ(12)(12a)が装着されている。
図１に示すように、本体ケース(1)内には、上流端の吸気口(11)から下流端の温風吹き出し口(14)に繋がる通風路(15)を構成するダクト(13)が設けられていると共に、温風吹き出し口(14)は本体ケース(1)の前面下部に開放している。
吸気口(11)の下流側に設けられたガスバーナ(2)の燃焼プレート(20)は燃焼胴(21)で包囲されており、燃焼プレート(20)の表面近傍には点火電極(31)と炎検知器(32)が配設されている。又、燃焼胴(21)の先端には、燃焼排気を通風路(15)の下流側に案内する排気ガイド(23)が対向している。
【００１０】
ガスバーナ(2)の混合管には燃焼用吸気口(33a)から吸気ダクト(33)を通って導入される一次空気と、ガスノズル(34)からの燃料ガスが供給されるようになっており、ガスノズル(34)へのガス回路(35)には、火力調整用の比例弁(36)とガス回路(35)を開閉する為の電磁開閉弁(37)(38)が直列に配設されている。尚、吸気ダクト(33)の上流端近傍には室温センサ(39)が配設されている。
通風路(15)に於けるガスバーナ(2)の下流側には、ファンモータ(18)で駆動される回転羽根(17)と、温風吹き出し口(14)部分のルーバ(16)が設けられている。
上記ファンモータ(18)や電磁開閉弁(37)(38)等の電気部品は制御装置(5)に電気接続されていると共に、この制御装置(5)には電源プラグ(51)を介して商用電源が供給されるようになっている。
【００１１】
図３は、制御装置(5)に設けられた、電磁開閉弁(37)(38)及びファンモータ(18)の制御部の電気回路である。
電源プラグ(51)を介して供給される商用電源は、電磁開閉弁(37)(38)を各別に作動させる為の電磁コイル(37a)(38a)の直列回路(41)の両端に印加されていると共に、該直列回路(41)には後述するリレー(42)の第１出力接点(420)が設けられている。又、一方の電磁コイル(38a)の両端電圧は電圧検知手段(43)で監視されており、該電圧検知手段(43)の検知電圧が不正常な場合（両電磁コイル(37a)(38a)が共に正常な場合に於ける電磁コイル(38a)の両端電圧と等しくない場合）は、電磁コイル(37a)又は電磁コイル(38a)に異常があることを示す信号（異常信号）が判定回路(H)から出力されるようになっている。又、ファンモータ(18)の回路にはリレー(42)の第２出力接点(421)が挿入されている。
【００１２】
一方、電源プラグ(51)から供給される商用電源は、トランス(52)で電圧降下されて整流回路(53)に印加されている。
整流回路(53)の出力は、固定抵抗(541)(542)で分圧されていると共に、この分圧された電圧が運転スイッチ(10)の投入信号としてＴＦＦ(543)（トグルフリップフロップ）のクロック入力端子(544)に印加されるようになっている。そして、上記ＴＦＦ(543)でトランジスタ(545)がＯＮ・ＯＦＦされると共に、このトランジスタ(545)のコレクタ回路にはリレー(42)が設けられている。
【００１３】
次に、上記実施の形態に係る温風暖房器の使用の実際を説明する。
先ず、運転スイッチ(10)を投入すると、固定抵抗(541)(542)の中間電圧がＴＦＦ(543)に印加されてこれがＨ信号を出力し、これにより、トランジスタ(545)がＯＮ状態になってリレー(42)が導通してその第１，第２出力接点(420)(421)が閉じる。第１出力接点(420)が閉じると、電源プラグ(51)から供給される商用電源が電磁コイル(37a)(38a)の直列回路に印加されてこれらが励磁され、これにより、電磁開閉弁(37)(38)が開弁する。又、制御装置(5)により比例弁(36)が適宜開度に設定され、これにより、ガスバーナ(2)にガス供給されると共に、点火電極(31)が作動してガスバーナ(2)に点火される。
又、リレー(42)の第２出力接点(421)が閉じてファンモータ(18)が作動するから、室内の空気は、回転羽根(17)の回転によって吸気口(11)から通風路(15)に流入してガスバーナ(2)の燃焼排気と混合され、その後、回転羽根(17)の配設部から温風吹き出し口(14)を経て室内に吐出されて暖房動作が進行する。尚、暖房中は、図示しない温度設定器でセットされた設定温度と室温センサ(39)の検知温度が等しくなるように、比例弁(36)の開度が調整されて燃焼量が調整され、これにより、室内は温度調節される。
【００１４】
次に、暖房運転を停止させるときは、運転スイッチ(10)を再投入する。すると、ＴＦＦ(543)からＬ信号が出力されてトランジスタ(545)がＯＦＦ状態に復帰する。これにより、第１，第２出力接点(420)(421)が開いて電磁コイル(37a)(38a)が消磁され、電磁開閉弁(37)(38)が閉弁状態に復帰してガスバーナ(2)が消火すると共に、ファンモータ(18)が停止する。
このものでは、電磁コイル(37a)(38a)が直列接続されているから、該直列回路の両端に印加される電源電圧は各電磁コイル(37a)(38a)で分圧され、これにより、電磁コイル(37a)(38a)の夫々に加わる電圧は、これら電磁コイル(37a)(38a)を並列接続の場合（既述従来例の場合）に比べて低くなる。従って、前記並列接続の場合と同一の弁駆動力を生じさせる大きさの電流を電磁コイル(37a)(38a)に流す場合、各電磁コイルの抵抗を小さくすることができるから、コイル巻き線を太くすることができて、該巻き線が断線し難くなる。
尚、上記実施の形態では、電磁コイル(38a)の両端電圧を監視する電圧検知手段(43)の検知電圧が不正常な場合は、判定回路(H)からの異常信号により、スピーカ（図示せず）で音声案内したり、ブザーを鳴動させ、これにより、電磁コイル(37a)(38a)の何れかが異常であることを報知するようになっている。そして、本実施の形態では、上記判定回路(H)が既述請求項２，３の発明の発明特定事項たる「判定手段」に対応する。
【００１５】
［その他]
１．上記実施の形態では、電圧検知手段(43)で電磁コイル(38a)の両端電圧を検知することにより、電磁コイル(37a)(38a)の何れかの異常を検知するようにしたが、例えば、電磁コイル(37a)(38a)の直列回路(41)に流れる電流を検知する電流検知器（電流検知手段）を設け、この電流検知器の検知電流が不正常な場合（電磁コイル(37a)(38a)が共に正常である場合に検知すべき大きさの電流でない場合）は異常信号を出力する判定手段を設けても良い。そして、判定手段が異常信号を出力したときは、スピーカやブザーにより、電磁コイル(37a)(38a)の何れかが異常であることを報知する。
【００１６】
２．上記実施の形態では、電磁開閉弁(37)(38)を温風暖房器のガス回路に配設した場合を例示的に説明したが、電磁開閉弁(37)(38)を給湯器のガス回路や水回路に配設してもよい。
３．上記実施の形態では、二個の電磁コイル(37a)(38a)を直列接続したが、電磁コイルを三個以上直列接続した回路の両端に電源を印加するものも、本願発明の範囲に包含される。
【００１７】
４．上記実施の形態では、ガス回路に於いて電磁開閉弁(37)(38)を直列接続したが、これら電磁開閉弁(37)(38)をガス回路に於いて並列接続してもよい。
５．電磁開閉弁(37)(38)の直列回路の両端に商用電源以外の電源や、直流電源を印加してもよい。又、前記電源の電圧の大きさは問わない。
【図面の簡単な説明】
【００１８】
【図１】本発明の実施の形態に係る温風暖房器のシステム構成図
【図２】本発明の実施の形態に係る温風暖房器を背面側から見た斜視図
【図３】電磁開閉弁(37)(38)及びファンモータ(18)の駆動回路の説明図
【符号の説明】
【００１９】
(37)(38)・・・電磁開閉弁
(37a)(38a)・・・電磁コイル
(43)・・・電圧検知手段
(H)・・・判定回路
【図１】
2006144943.tif 000003
【図２】
2006144943.tif 000004
【図３】
2006144943.tif 000005